Podtech/llm-jp-corpus-v4-ja_patent huggingface dataset:
(57)【要約】【課題】  手が疲れることなく、簡単に持ち運びをすることができ、また場所を問わずに移動しながら、見た目にも分からずにマッサージをすることができる足踏みマッサージ器を提供する。【解決手段】  布地（１）とネット状の素材（２）の間に、高分子樹脂やプラスチック、ゴム、木、セラミックなどからなる素材でできた、直径５ミリから８ミリ程度の固形物（４）を設け、布地（１）とネット状の素材（２）の周囲に張り合わせ部（３）を設け、張り合わせ部（３）の両端にネット状の素材（２）を上にして、平ゴム（５）を設けたことを特徴とする。【選択図】  図１
2006239359.tif 000002
【特許請求の範囲】
【請求項１】
布地（１）とネット状の素材（２）の開に、高分子樹脂やプラスチック、ゴム、木、セラミックなどからなる素材でできた、直径５ミリから８ミリ程度の固形物（４）を設け、布地（１）とネット状の素材（２）の周囲に張り合わせ部（３）を設け、張り合わせ部（３）の両端にネット状の素材（２）を上にして、平ゴム（５）を設けた足踏みマッサージ器。
【発明の詳細な説明】
【技術分野】
【０００１】  この発明は、場所を問わず移動中でも、見た目には分からずに足踏みマッサージをすることができる「足踏みマッサージ器」に関するものである。
【技術背景】
【０００２】  従来、足裏のマッサージをする場合は、手で足裏を指圧したり、青竹やツボ押し器等を踏んだり、または電動マッサージ機を使用していた。
また、お風呂の中で足の裏を押し当ててマッサージをするもの（例えば、特許文献１参照）や、足全体を包み込んで指圧の要領でマッサージをするもの（例えば、特許文献２参照）や、球状の物体の上に足を乗せ、足を動かしてマッサージをするもの（例えば、特許文献３参照）などが提案されている。
【特許文献１】        「特開２００４−２８３５６５号公報」
【特許文献２】        「特開２００５−７０８５号公報」
【特許文献３】        「特開２００４−５７７６３号公報」
【発明の開示】
【発明が解決しようとする課題】
【０００３】  これには、次のような欠点があった。
手で足裏を刺激する場合、返って手が疲れていた。また、青竹やツボ押し器、電動マッサージ機は簡単に持ち運びをすることができなかった。
お風呂の中で足の裏を押し当ててマッサージするものは、お風呂以外での場所では使用できず、また足全体を包み込むものは、外出時には不便であり、見た目にも良くない。球状の物体の上に足を乗せて動かすものは、移動中には使用できない。
本発明は、これらの欠点を解決するためになされたものである。
【発明を解決するための手段】
【０００４】  布地（１）とネット状の素材（２）の間に、高分子樹脂やプラスチック、ゴム、木、セラミックなどからなる素材でできた、直径５ミリから８ミリ程度の固形物（４）を設け、布地（１）とネット状の素材（２）の周囲に張り合わせ部（３）を設け、張り合わせ部（３）の両端にネット状の素材（２）を上にして、平ゴム（５）を設ける。
本発明は、以上の構成よりなる足踏みマッサージ器である。
【発明の効果】
【０００５】  手が疲れることなく、簡単に持ち運びをすることができ、また場所を問わずに移動しながら、見た目にも分からずにマッサージをすることができるようになった。
【発明を実施するための最良の形態】
【０００６】  以下、本発明の実施例について説明する。
布地（１）とネット状の素材（２）の間に、高分子樹脂やプラスチック、ゴム、木、セラミックなどからなる素材でできた、直径５ミリから８ミリ程度の固形物（４）を設け、布地（１）とネット状の素材（２）の周囲に張り合わせ部（３）を設け、張り合わせ部（３）の両端にネット状の素材（２）を上にして、平ゴム（５）を設ける。
本発明は以上のような構造で、これを使用するときは、
▲１▼張り合わせ部（３）の両端に設けられた平ゴム（５）を上にして、ネット状の素材（２）の間に足を差し込み、土踏まずのあたりに本発明品を固定する。
▲２▼足踏み等をして、足裏を刺激する。
【図面の簡単な説明】
【０００７】
【図１】    本発明の構造をあらわした正面図である。
【図２】    本発明の構造をあらわした背面図である。
【図３】    本発明の使用状態をあらわした側面図である。
【符号の説明】
【０００８】１．布地
２．ネット状の素材
３．張り合わせ部
４．固形物
５．平ゴム
【図１】
2006239359.tif 000003
【図２】
2006239359.tif 000004
【図３】
2006239359.tif 000005
(57)【要約】【課題】既存の市販されている非防水の製品に装着するだけで防水性が得られる防水カバーを提供することにある。【解決手段】本防水カバーは収縮性がある材料で作られ筒状、袋状の形状をしており、一端は塞がれており他の一端は製品の出し入れをするため口部があり、口部は蓋を閉じることにより、密閉され防水性が得られる。この口部はファスナー状にして密閉をする方法で防水をすることも出来る。【選択図】        図１
2006239352.tif 000002
【特許請求の範囲】
【請求項１】
防水する対象製品の形状にほぼ類似の大きさに作られ、伸縮性のある材料で作ることで対象製品に容易に装着することが出来るようにした筒状、袋状の防水カバー。
【請求項２】
上記防水カバーは伸縮性の大きい材料を使用することにより、防水する対象製品の形状より小さめに作っても容易に装着することができ、小さく作ることにより製品に密着させることができるため、装着後外部からの操作を装着前と同じような感覚で操作することが出来また製品の操作性を容易にすることが出来る筒状、袋状の防水カバー。
【請求項３】
上記防水カバーの一端は塞がれており、他の一端は対象製品を出し入れするための口部があり、口部は防水のための密封性のある蓋で開閉することが出来る防水カバー。
【発明の詳細な説明】
【発明の詳細な説明】
【発明が属する技術分野】
【０００１】  本発明は、防水カバーに関するものである。
【背景技術】
【０００２】  従来の携帯電話、リモートコントローラー、デジタルカメラなどの製品で防水性を持たせる場合、その対象製品の製造段階から計画的に防水を目的とした部品を使用して組立てる必要があった。また防水性のあるハードケースに入れて使用していた。
【発明が解決しようとする課題】
【０００３】  解決しようとする問題点は、従来は防水が必要な場合は、防水製品を購入する必要があり、高価であると言う点である。
【課題を解決するための手段】
【０００４】  本発明は、市場で販売されている非防水製品でも本発明の防水カバーを装着することにより防水することが出来る。例えば携帯電話、カメラなど、ボタン操作で操作が可能な製品に関しては、装着前と同じような感覚で操作ができることを特徴とする。即ち防水したい製品に装着することが出来る着脱可能な防水カバーであって、その防水カバーは筒状、袋状で、一端は塞がれており、他の一端は製品の出し入れをするための、口部を有しており防水のための密着性のある蓋で開閉することが出来る防水カバー。
【発明を実施するための最良の形態】
【０００５】
【実施例】
【０００６】  図１、図２は防水カバーのみの実施例、図３は防水カバーを製品に装着する前の装着しやすい状態にした形状を示す１実施例、図４は本発明の防水カバーを防水したい製品に装着した１実施例、図５、図６は防水カバーの口部の実施例で、図５は蓋で閉じる方式で、図６はビニールファスナーと同じ方法で閉じる方式。従来の防水製品の図面は掲載していない。【０００７】  図１の１は防水カバーで、筒状の形状をしており一端５は塞がれており、他の一端は製品の出し入れをするための口部３があり、製品を装着した後、口部３を閉じることにより、内部が密閉状態となり防水ができる。口部３は筒部２より肉厚に形成されており、蓋４を取り付けることが出来るようになっており、また他の方法としてビニールファスナーの方式に形成して開閉することも出来る形状となっている。【０００８】  図３は防水される製品に装着し易くするため口部から筒部の方に口部を芯にして、しごき巻き上げた状態を示した防水カバーの状態を示し、この状態のものを防水したい製品に被せ、巻き上げられていた筒部をしごき戻しながら製品に装着する。図４は装着が完了した状態を示す。
【発明の効果】
【０００９】  以上説明したように本発明の防水カバーは市販されている非防水の製品に被せて装着するだけで簡単に安価に防水性が得られると言う点である。
【図面の簡単な説明】
【００１０】
【図１】防水カバーの全体の外観を示した１例目の図である。
【図２】防水カバーの全体の外観を示した２例目の図である。
【図３】防水カバーが巻き上げられている外観を示した図である。
【図４】防水カバーを防水するための対象製品に装着した外観を示した図である。
【図５】防水カバーの口部示した１例目の図である。
【図６】防水カバーの口部示した２例目の図である。
【符号の説明】
【００１１】１    防水カバー本体
２    筒部
３    口部
４    蓋
５    塞がれた一端
１０  防水するための対象製品（図４の例は携帯電話）
【図１】
2006239352.tif 000003
【図２】
2006239352.tif 000004
【図３】
2006239352.tif 000005
【図４】
2006239352.tif 000006
【図５】
2006239352.tif 000007
【図６】
2006239352.tif 000008
(57)【要約】【課題】ゴルフボールの転がりに微妙に影響を与えるために、ウエート兼ネジを設けたゴルフのパターで、ウエート兼ネジを捻る加減で微妙な調整ができる。【解決手段】ゴルフのパター本体部（１）の後部中央部分に、雄ネジ（４）を施したウエート（２）が移動できる溝を設け、溝の内側に雌ネジ（３）施し、雄ネジ（４）を施したウエート（２）の捻り方によりウエート移動を可能にする。【選択図】  図１
2006239351.tif 000002
【特許請求の範囲】
【請求項１】
ゴルフのパター後部中央部分に、ネジをウエートとし、ネジの捻り方によってウエート移動を可能目的に作られたゴルフのパター。
【発明の詳細な説明】
【技術分野】
【０００１】本発明はゴルフのパター本体部（１）の後部中央部分にネジをウエートとし、ネジの捻り方によって、ウエート移動を可能目的に作られたゴルフのパターに関するものである。
【背景技術】
【０００２】従来ゴルフのパターのあらゆる場所にウエートを施している物は有った。【０００３】しかしどれを取ってもシンプルさ機能的に不満足なものばかりである。
【発明の開示】
【発明が解決しようとする課題】
【０００４】解決しようとする問題点は、ネジとウエートを一体化しネジの捻り方で、ウエート移動を可能にする。
【課題を解決するための手段】
【０００５】本発明はゴルフのパター本体部（１）の後部中央部分に、雄ネジ（４）を施したウエート（２）が移動できる溝を設け、溝の内側に雌ネジ（３）を施し、雄ネジ（４）を施したウエート（２）の捻り方によりウエート移動を可能にする。
【発明の効果】
【０００６】本発明はウエート（２）を捻るだけでウエート移動を可能にし、微妙なバランス調整が出来るゴルフのパターである。
【発明を実施するための最良の形態】
【０００７】本発明を利用する時は、ゴルフのパター本体部（１）の後部中央部分の雄ネジ（４）を施したウエート（２）を好みの位置に捻り使用する。
【実施例１】
【０００８】ゴルフのパター本体部（１）の後部中央部分に、雄ネジ（４）を施したウエート（２）が移動できる溝を設け、溝の内側に雌ネジ（３）を施し、雄ネジ（４）を施したウエート（２）を好みの位置に捻り使用する。
【図面の簡単な説明】
【０００９】
【図１】ゴルフのパター断面図である。
【図２】後部図である。
【符号の説明】
【００１０】  本体部（１）
ウエート（２）
雌ネジ（３）
雄ネジ（４）
【図１】
2006239351.tif 000003
【図２】
2006239351.tif 000004
(57)【要約】【課題】  人が睡眠をとるときに、枕が熱を保つ事を避け、寝苦しさから解消されることを目的とする。【解決手段】  枕の頭を乗せる部分を布地のみとし、両サイドを所定の高さに保持し、枕の中身を一切使用しないことを特徴とする。【選択図】  図２
2006239365.tif 000002
【特許請求の範囲】
【請求項１】
左右に対して対称とする高さを有し、且つ、一定の幅を保ち、平行に固定した布保持部材を構成し、布地を左右の布保持部材の平面上に張り広げ固定、その上に頭を乗せる、枕の中身を使用しないことを特徴とする枕。
【発明の詳細な説明】
【技術分野】
【０００１】  この発明は、人が寝るときに使用する枕に関するものであり、枕の構造を基本的に変えることにより、使用中に枕の温度の上昇を避けるようにしたものである。
【背景技術】
【０００２】  従来の枕は、枕の中身の材料を、古くから利用されている蕎麦殻をはじめ、最近に於いては、発泡スチロールおよびビニール・バイプカット粒子など種々市場に出回っている。  また中身の無いものとして、古くから籐の編んだ枕が利用されている。
【発明の開示】
【発明が解決しょうとする課題】
【０００３】  枕は、使用中に体温による熱を保ち、寝苦しいため、その熱を出来るだけ低くする対策として、種々の材料が利用されているが、その問題の解決には未だに不充分である。
【課題を解決するための手段】
【０００４】  本発明は、そのような問題を解決するためになされたもので、図２示すごとく、枕に頭の乗せる部分の布地１を、左右対称とする同じ高さの布保持部材２，３に張りつけ固定し、枕の中身を一切使用しない構造とした。
【発明の効果】
【０００５】  本発明の枕に、寝た状態にて頭を布地１に乗せた場合、布地１が左右の布保持部材２，３に取り付けられている為、頭は布地１に保持され、頭の接触部の布地１のは空間となるため、枕の体温による蓄熱は殆ど避けられる。
【発明を実施するための最良の形態】
【０００６】  第１図は、布地１を除いた枕の構造を示す立体図である。  左右対象とする同じ高さの布保持部材２，３を設け、幅を一定に保つ幅保持部材４に固定する。【０００７】  第２図は、布地１を取り付けた使用状態とする立体図である。  布地１の左右両端に取り付け棒６を挿入し、締め付けベルト５により布保持部材２，３に調整固定する。  布地１は、布保持部材２，３の何方か片側に固定状態とし、片側のみ締め付けベルト５を設け、布地１の張り状態を調整しても良い。
【産業上の利用可能性】
【０００８】  本発明に係わる枕は、工業的に量産することが可能であるため、産業上の利用可能性を有する。
【図面の簡単な説明】
【０００９】
【図１】  本発明に係わる枕の、布地部分を除いた実施例の、構造立体図である。
【図２】  布地部分を付けた、組み立ての立体図である。
【符号の説明】
【００１０】  １      布地，
２      布保持部材
３      布保持部材
４      幅保持部材
５      締め付けベルト
６      取り付け棒
【図１】
2006239365.tif 000003
【図２】
2006239365.tif 000004
(57)【要約】【課題】  下肢痙性麻痺者には、両側支柱付短下肢装具が広く用いられている。この短下肢装具は、両側の支柱により側方安定性、耐久性とも優れているが、踵接地期に足関節を底屈させない構造のため、不自然な歩行になっていた。また、デザイン面から、特に女性に敬遠されていた。【解決手段】  靴底内部に設けた▲１▼背屈については弱い制動力または、抵抗なく可動し、立ち座り動作を制限しない、▲２▼歩行周期の踵接地期に生じる強い底屈モーメントに対しては足関節の底屈を許す、▲３▼足底全接地期以後は底屈を強く制限する本発明の機構により、軽度から高度の下肢痙性麻痺者に対して、自然に近い歩行を可能にすると同時に、足継手の機構が靴底内部にあることにより、下腿支えの形状に制限が少なく、よりデザイン性の高い短下肢装具の作製を可能にしたものである。【選択図】図１
2006239361.tif 000002
【特許請求の範囲】
【請求項１】
脳卒中、脊髄損傷など痙性麻痺により、足部に内反・尖足を生じる。歩き易くする為に、足関節の内外反と底屈を制限する短下肢装具が用いられ、屋外歩行には、両側支柱付短下肢装具が広く用いられている。両側支柱付短下肢装具は、足関節の内外反を制限し、足関節の底背屈の可動範囲を調整する機能に優れているが、調整した角度より足関節を底屈させることは困難な構造になっている。痙性麻痺者では、歩行周期の踵接地期から足底全接地期までに装具に強い底屈モーメントが生じる。本装具は、この強い底屈モーメントに対しては、底屈を許し、より自然な歩行に近づけるとともに、その機構を靴底内部に設けることにより、下腿支え部分の形状の制約を少なくした下肢装具。
【請求項２】
請求項１の機能を得るために、装具の靴底内部にシャンクと軸受けで連結されたシャフトを設け、シャフトに底屈制動用、背屈制動用のねじりばねをつけることにより、足関節の痙性の程度に応じた底背屈特性を提供できる下肢装具。
【請求項３】
請求項２の機構で、より強度な底屈制動を得るために、シャフト自体をトーションバネとした下肢装具。
【請求項４】
請求項２、請求項３の機構において、シャンク（靴底に固定する金属板）と軸受けの方向に角度をつけることで、下腿支えの動きを生理的な方向に近づけた下肢装具。
【発明の詳細な説明】
【技術分野】
【０００１】  本発明は下肢痙性麻痺者の歩行をより自然な歩行に近づけるとともに、足継手機構を靴底内部に設けることで、下腿支え部分の形状の制約を少なくした下肢装具である。
【背景技術】
【０００２】  従来用いられている底背屈を制動する短下肢装具には、足継手付プラスチック性短下肢装具、両側支柱付短下肢装具などがあるが、これらの装具は、足関節の底屈を制限するため、歩行が不自然であることと、支柱の途中に足継手が設けられ、下腿支え部分の形状に制約があった。
【発明の開示】
【発明が解決しようとする課題】
【０００３】  下肢痙性麻痺者の短下肢装具は、▲１▼背屈については弱い制動力または、抵抗なく可動し、立ち座り動作を制限しない、▲２▼歩行周期の踵接地期に生じる強い底屈モーメントに対しては足関節の底屈を許す、▲３▼足底全接地期以後は底屈を強く制限する特性が必要であるとともに、装具は身体に常時身につけるものであり、装着による心理的負担を少なくするためのデザイン性が要求される。
【課題を解決するための手段】
【０００４】  下肢痙性麻痺者の短下肢装具に要求される上記の特性を得るための機構を靴底内部に設けることで、下腿支え部分の形状の制約を少なくした下肢装具である。【０００５】  図１のシャンク１とシャフト２を軸受け３で連結し、シャフトに固定した底屈制動用ねじりばね４、背屈制動用ねじりばね５により、支柱６を適切な強度で底背屈できるようにしたものである。【０００６】  また、図３は、強い底屈制動を軽量な機構で得るために、シャフト７を弾力性の高い材料で作製したトーションバネにしものである。
【発明の効果】
【０００７】  靴底内部に設けた▲１▼背屈については弱い制動力または、抵抗なく可動し、立ち座り動作を制限しない、▲２▼歩行周期の踵接地期に生じる強い底屈モーメントに対しては足関節の底屈を許す、▲３▼足底全接地期以後は底屈を強く制限する本発明の機構により、軽度から高度の下肢痙性麻痺者に対して、自然に近い歩行を可能にすると同時に、足継手の機構が靴底内部にあることにより、下腿支えの形状に制限が少なく、よりデザイン性の高い短下肢装具の作製を可能にしたものである。
【発明を実施するための最良の形態】
【０００８】  本発明の実施の形態を図１に基づいて説明する。【０００９】  図において、１は靴底に固定されるシャンクである。従来の短下肢装具は、シャンク１と支柱６は固定され可動性がない。【００１０】  本発明は、シャンク１と支柱６との間に回転するシャフト２を設け、シャフト２は、軸受け３により、シャンク１と連結され、シャフト２には、底屈制動用ねじりばね４、背屈制動用ねじりばね５が固定され、支柱６を底屈および背屈に可動できるようにしたものである。【００１１】  ねじりばねの特性を選択することにより、痙性麻痺の状態に応じた、最適な底背屈特性を得ることが可能である。【００１２】  また、従来の短下肢装具にある足関節内外果部周辺の足継手が不要となることで、下腿支え部の形状に制約が少なくなり、デザイン性の高い下肢装具が可能になる。
【図面の簡単な説明】
【００１３】
【図１】本発明の底面図
【図２】図１の正面図
【図３】本発明のシャフトをトーションバネにした底面図
【図４】図３の正面図
【図５】本発明の機構を靴底内部に組み入れた短下肢装具の側面図
【図６】図５の動き
【図７】図３において、シャンクと軸受けに角度をつけた図
【符号の説明】
【００１４】  １  シャンク
２  シャフト
３  軸受け
４  底屈制動ねじりばね
５  背屈制動ねじりばね
６  支柱
７  バネ座金
８  袋ナット
９  止金
１０  シャフト（トーションバネ）
１１  固定金具
１２  固定ピン
１３  下腿支え
【図１】
2006239361.tif 000003
【図２】
2006239361.tif 000004
【図３】
2006239361.tif 000005
【図４】
2006239361.tif 000006
【図５】
2006239361.tif 000007
【図６】
2006239361.tif 000008
【図７】
2006239361.tif 000009
(57)【要約】【課題】使い捨てカイロの内袋にアロエ等適正漢方植物の液体を付加することにより、従来の保温機能に加えて、身体に新陳代謝と血行促進を提供する。【解決手段】使い捨てカイロの内袋をアロエ等適正漢方植物の液体に浸透させ、乾燥後その内袋でカイロの原材料、即ち鉄粉、活性炭等をパックすることを特徴とする使い捨てカイロ。【選択図】図２
2006239367.tif 000002
【特許請求の範囲】
【請求項１】
アロエ等漢方植物の液体に浸したる内袋をもって原材料鉄粉、活性炭等をパックすることを特徴とする使い捨てカイロ。
【発明の詳細な説明】
【技術分野】
【０００１】本発明は使い捨てカイロの原材料である鉄粉、活性炭等を被膜する不織布内袋にアロエ等の植物の液体を浸透させた使い捨てカイロに関するものである。
【背景技術】
【０００２】従来の使い捨てカイロは保温、防寒が主な目的であった。
【発明の開示】
【発明が解決しようとする課題】
【０００３】それには次のような問題点があった。
（イ）長時間使用の場合乾燥性皮膚を有する人、特に老人などの皮膚に適さない。
（ロ）保温のみで身体に対する他の考慮はされていない。
本発明は以上の問題を解決するためのものである。
【課題を解決するための手段】
【０００４】使い捨てカイロの原材料である鉄粉、活性炭等を被膜する不織布内袋をアロエ等漢方植物の液体に浸透させたのち、乾燥させ、それで原材料を被膜する。
【発明の効果】
【０００５】アロエ等漢方植物のモイスチャ−効果で皮膚の湿潤を保ち、新陳代謝を盛んにし、殺菌、消炎作用が保温と同時に作用して、皮膚を保護し、また神経をリラックスさせる。
【発明を実施するための最良の形態】
【０００６】以下本発明の実施の形態を説明する。
（イ）アロエ等漢方植物の液体（１）に浸したカイロの内袋（２）を作る。
（ロ）カイロの内袋（２）は次のようにしてできる。
アロエ等漢方植物の液体（１）を精製し、その植物の液体（１）を内袋（２）に浸透させる。  浸透後、内袋（２）を乾燥させる。  次にその内袋（２）で鉄粉、活性炭等の原材料（３）をパックする。
本発明は、以上の構成よりなっている。
【図面の簡単な説明】
【０００７】
【図１】本発明の側面図
【図２】本発明の斜視図
【図３】本発明のフロ−チャ−ト
【符号の説明】
【０００８】    １  植物の液体
２  内袋
３  原材料
【図１】
2006239367.tif 000003
【図２】
2006239367.tif 000004
【図３】
2006239367.tif 000005
(57)【要約】【課題】注射針による針刺し事故を起こさない注射針のキャップ部分を提供する。【解決手段】キャップ本体にスポンジを用いて整形することによりキャップを伸縮自在にし、穴を開けたキャップ先端部から注射針が現れることにより、注射針からキャップを外さずとも注射器を用いることが出来ることを可能としたことが特徴である。【選択図】図１２
2006239364.tif 000002
【特許請求の範囲】
【請求項１】
注射針のキャップをつけたままの安全な状態で注射器が使用できる注射針のキャップ
【発明の詳細な説明】
【発明の詳細な説明】
【技術分野】
【０００１】  この発明は、注射針による針刺し事故を防止するための注射針のキャップ部分に関するものである。
【背景技術】
【０００２】  従来の注射針は、注射器を使用するとき注射針を注射器に嵌合して注射針のキャップをはずしてからでなければ使用できなかった。
【発明が解決しようとしている課題】
【０００３】  その為、従来の注射針は針がむき出しとなり次のような欠点があった。（イ）薬剤をつめた注射器の針先が看護師等の医療従事者に触れることで起きるアレルギーショック。（ロ）注射薬を投与した後の使用済み注射針と医療従事者が接触することで起きるＢ型又はＣ型肝炎ウイルスやエイズウイルス等の血液感染。  本発明は、注射針のキャップを外さないで使用することを可能とし、危険な針刺し事故から注射を使用する人を守ることを目的に考案されたものである。
【問題解決の手段】
【０００４】  キャップ先端部分（３）とスポンジ部分（４）とキャップ−注射針嵌合部分（５）の３部分を結合したキャップ部分と注射針（２）を嵌合する。  本発明は、以上の構成からなるキャップ付注射針である。
【発明の形態】
【０００５】  この発明を図面にて説明すれば、本発明の注射針のキャップ部分は樹脂で整形されている先端部分（３）とキャップ−注射針嵌合部分（５）そしてスポンジで整形された注射針を覆う円柱部分（４）の３部分を１つに結合してキャップ本体（１）となる。注射針（２）は注射器と嵌合する硬質の樹脂で整形されている注射針−注射器嵌合部分（７）と針（６）で構成されている。キャップ先端部分は円柱状の部分（９）と２本の突起状の部分（８）からなり、硬質の樹脂にて整形されている。円柱状の部分は注射針が突き出るよう中心が貫通してあり（図３）、円柱状の部分と注射針の先端が重なるように嵌通している。突起部分は弾力性があり硬質の樹脂にて整形され、注射針を刺す方向に向かって広がるように円柱状の部分から突き出ている（図４）。針を覆うスポンジ部分は、家庭で食器等を洗浄するスポンジと同様に伸縮する性質があり、力を加えると縮み力を抜くと元の形に戻る。スポンジ部分は円柱状に整形されており、その内部は注射針に接触しないようにくりぬいてある（図５）。スポンジ部分は注射針を先端から少しだけ出すときのために柔らかいスポンジと固めのスポンジの硬度の異なる２種類のスポンジで構成されており注射器を軽く押し込むと柔らかいスポンジが縮み、注射針が突起部分よりもはみ出さないところまで現れる状態になるように工夫されている（図１２）。キャップ注射針嵌合部分（１５）は硬質の樹脂で整形されており、内部にある突起物（１４）がある。キャップに注射針を差し込むと注射針の注射針−注射器接合部分（７）と注射針が嵌合するように設計されている。
【本発明の実施の形態】
【０００６】  本発明を注射器に嵌合して注射アンプルまたはバイアルに押し込むとキャップのスポンジ部分が縮み（図８）、針が出てきて薬液を吸い取る事が出来る（図９）（図１０）。注射針を引き抜くとスポンジ部分はもとの状態に戻るのでキャップは針につけたまま注射器を使用することが出来きるので安心安全である（図１１）。患者に注射をするときは、キャップ先端を人体に軽く押し付け２本の突起部分の間に注射針の先端が目視できるように針を少し出して（図１２）、血管等の使用部位にねらいを定めてから注射をする（図１３）（図１４）。人体に使用する場合もキャップを外さなくてもよいので、針刺し事故の危険がない。汚染された針を接触することによる血液感染は起こらない（図１５）。  本発明により、安全に注射器を使用できるようになる。
【発明の効果】
【０００７】  注射針のキャップをはずすことなく注射薬の調整や混合作業、そして人への注射薬の投与が出来るため、医療従事者の針刺し事故の危険がなくなる。
【図面の簡単な説明】
【図１】本発明のキャップ側面図と注射針側面図
【図２】本発明のキャップ先端部分側面図
【図３】本発明のキャップ先端部分断面図
【図４】本発明のキャップ先端部分上面図
【図５】本発明のスポンジ部分断面図
【図６】本発明のキャップ−注射針嵌合部分下面図
【図７】本発明の断面図と注射器断面図
【図８】本発明による注射薬液吸引図１
【図９】本発明による注射薬液吸引図２
【図１０】本発明による注射薬液吸引図３
【図１１】本発明による注射薬液吸引完了図
【図１２】本発明の実施例図１
【図１３】本発明の実施例図２
【図１４】本発明の実施例図３
【図１５】本発明の実施例図４
【符号の説明】
１注射針のキャップ２注射針３キャップ先端部分４キャップスポンジ部分５キャップ−注射針嵌合部分６針７注射針−注射器嵌合部８キャップ先端部分の突起部分９キャップ先端部分の円柱部分１０硬さの異なる２種類のスポンジ部分１１突起物１２注射器１３注射アンプル１４先端部をカットした注射アンプル１５注射薬液１６．人の腕
【図１】
2006239364.tif 000003
【図２】
2006239364.tif 000004
【図３】
2006239364.tif 000005
【図４】
2006239364.tif 000006
【図５】
2006239364.tif 000007
【図６】
2006239364.tif 000008
【図７】
2006239364.tif 000009
【図８】
2006239364.tif 000010
【図９】
2006239364.tif 000011
【図１０】
2006239364.tif 000012
【図１１】
2006239364.tif 000013
【図１２】
2006239364.tif 000014
【図１３】
2006239364.tif 000015
【図１４】
2006239364.tif 000016
【図１５】
2006239364.tif 000017
(57)【要約】【課題】    ギプスを装着したまま履物を履くという困難を解消するため、軽量かつ装着が簡単で歩行をスムーズにできるようにする。【解決手段】  あらゆるギプスのサイズに対応できるよう弾力性のあるゴムを使用しかつ強度を保つため底部に隆起部分を作り補強する。【選択図】  図１
2006239369.tif 000002
【特許請求の範囲】
【請求項１】
足にギプスを装着した場合、戸外に出るときにギプスに被せて汚れを防ぐカバー（履物）
【発明の詳細な説明】
【発明の詳細な説明】
本発明は骨折などにより足にギプスを装着した場合、ギプスが汚れるという難点を補うために、地面に着く部分をカバーすることにより汚れを防ぐ効果がある。従来ギプスを装着した場合、履物を履くことが困難で不自由であった。本発明は弾力性のあるゴムを使用しているので、脱着は簡単にできるよう設計されており、硬いものに当たっても破損しないよう隆起部分を付ける事によってこのカバーとギプスを保護するものである。この隆起部分は滑り止めも兼ねている。
【図面の簡単な説明】
【図１】        カバーの断面図である。
【図２】        カバーの平面図である。
【図３】        カバーの底面図である。
【図４】        カバーの前面図である。
【符号の説明】
１    やわらかいゴム
２    ゴム隆起部
３    ギプス挿入口
【図１】
2006239369.tif 000003
【図２】
2006239369.tif 000004
【図３】
2006239369.tif 000005
【図４】
2006239369.tif 000006
(57)【要約】【課題】切った食材がまな板の外に転がり落ちるという不都合を解決すること。【解決手段】まな板の食材切断作業部周囲四辺に深く幅のある溝を設け、その外側となるまな板の外周部分に食材切断作業部より高さのある縁を設けた食材転落防止まな板により、この課題を解決する。【選択図】  図１
2006239366.tif 000002
【特許請求の範囲】
【請求項１】
まな板の食材切断作業部の周囲四辺に、食材切断作業部より深く幅のある溝を有し、溝の外側部であるまな板の外周に食材切断作業部よりも高さのある縁を有したことを特徴とするまな板。
【発明の詳細な説明】
【技術分野】
【０００１】  本発明は、まな板本体の形状に工夫を加えることによって食材切断作業時に食材が転落しないようにしたまな板に関する。
【背景技術】
【０００２】  従来から家庭用調理器具として、表面が平坦な一枚の板状のまな板が利用されている。
【発明の開示】
【発明が解決しようとする課題】
【０００３】  しかし、従来のような１枚の平坦な板状のまな板では、キュウリや長ネギ等の小口切りの際および玉葱のみじん切りや万能ネギ等を細かく刻む際に切った食材がまな板外に転がり落ちてしまい、非常に不便である（図４参照）。本発明は、このような切った食材がまな板の外に転がり落ちてしまうという不都合を解決することを課題とする。
【課題を解決するための手段】
【０００４】  この課題を解決するための請求項１の発明は、まな板の食材切断作業部の周囲四辺に深く幅のある溝を設け、その外周に食材切断作業部よりも高さの高い縁を設けたことを特徴とする、食材転落防止まな板である。切った食材が食材切断作業部周囲の溝に落ち込み、外周に設けた食材切断作業部より高さのある縁で飛出しをガードするため、切った食材が床等に転落することを防止できる。
【発明の効果】
【０００５】  本発明により、切った食材がまな板の外に転がり落ちるという不具合を防ぐことができる。
【発明を実施するための最良の形態】
【０００６】  以下、本発明の実施の形態を図１〜図２に基づいて説明する。【０００７】  図１は、食材切断作業部１の周囲四辺に溝２を設け、その外周に食材切断作業部よりも高さのある縁３を設けた食材転落防止まな板１０斜視図である。同図に示した、食材切断作業部１周囲の溝２およびその外周の縁３により、食材がまな板外に転がり落ちることを防止する。【０００８】  図２は、食材切断作業部１の周囲四辺に深く幅のある溝２を設け、その外周に食材切断作業部よりも高さのある縁３を設けた食材転落防止まな板１０の図１におけるＡ−Ａ線断面図である。溝２は深く幅をもたせる。【０００９】  まな板の材料は、木材およびポリエチレン等、通常のものでよい。
【実施例】
【００１０】  図３は、本発明における食材転落防止まな板１０の食材切断作業部１にて食材５を切断した際の状態を示すものである。溝２および縁３によって食材５のまな板外への転落を防ぐ。
【産業上の利用可能性】
【００１１】  本発明に係るまな板は、工業的に量産する事が可能であるため、産業上の利用可能性を有する。
【図面の簡単な説明】
【００１２】
【図１】  食材切断作業部周囲に深く幅のある溝を設け、その外周に食材切断作業部より高さのある縁を設けたまな板を示した斜視図である。
【図２】  同まな板の、図１におけるＡ−Ａ線断面図である。
【図３】  同まな板の使用状態を示す平面図である。
【図４】  従来のまな板の斜視図である。
【符号の説明】
【００１３】  １    食材切断作業部
２    溝
３    縁
４    包丁
５    きゅうり、玉葱等の食材
１０  食材転落防止まな板本体
２０  従来のまな板本体
【図１】
2006239366.tif 000003
【図２】
2006239366.tif 000004
【図３】
2006239366.tif 000005
【図４】
2006239366.tif 000006
(57)【要約】【課題】舌苔を除去するサック状舌苔除去具と、そのサック状舌苔除去具の開口部を介し、着脱可能に装着できるサック状舌苔除去具装着棒を提供する。【解決手段】立体メッシュ構造からなるサック状舌苔除去具の開口部を介し、着脱可能な、サック状舌苔除去具装着棒を設けたことを特徴とする舌苔除去具。【選択図】図２
2006239396.tif 000002
【特許請求の範囲】
【請求項１】
立体メッシュ構造からなる、開口部を設けたサック状の舌苔除去具と、そのサック状の舌苔除去具の開口部を介し、着脱可能に装着できる器具を設けたことを特徴とする舌苔除去具。
【発明の詳細な説明】
【技術分野】
【０００１】  本発明は、舌苔を除去するサック状舌苔除去具と、そのサック状舌苔除去具の開口部を介し、着脱可能に装着できるサック状舌苔除去具装着棒に関するものである。
【背景技術】
【０００２】  従来、舌苔の除去をするには、ブラシ、へら、不織布、メッシュ構造の不織布、紙、タオル生地、パイル系の布、筒状の布、凸凹状に成型したプラスチックや金属の道具などで舌苔の除去をしていた。
【発明の開示】
【発明が解決しようとする課題】
【０００３】これは次のような問題点があった。
（イ）効率よく舌苔を除去できなかった。
（ロ）形状や素材の性質上、安全性が低かった。
（ニ）携帯性に優れていなかった。
（ホ）高価で使い捨てにできなかった。
本発明は、以上の問題点を解決するためになされたものである。
【課題を解決するための手段】
【０００４】  本発明は、立体メッシュ構造を有する編んだ物、または織った物からなる、開口部を設けたサック状舌苔除去具に、着脱可能に装着できるサック状舌苔除去具装着棒を設ける。以上を特徴とする舌苔除去具である。
【発明の効果】
【０００５】  サック状舌苔除去具を、サック状舌苔除去具装着棒や指に装着して、舌の表面を軽く擦ることで安全に効率よく舌苔の除去ができる。そのため、口腔内の汚れや雑菌を取り除く事ができ、口腔内を清潔に保ち健康維持や口臭予防に効果がある。
【発明を実施するための最良の形態】
【０００６】  以下、本発明の実態の形態について説明する。
サック状舌苔除去具（１）は、２次元の面ではなく３次元の立体メッシュ構造（３）を有する編み方、又は織り方をした繊維からなり、棒状のサック状舌苔除去具装着棒（４）又は指が挿入できる開口部（２）を設けサック状にする。本発明は以上のような構成で、これを使用するときは、サック状舌苔除去具（１）の開口部（２）に、サック状舌苔除去具装着棒（４）又は指を挿入し、舌の表面を軽く擦り、舌苔をサック状舌苔除去具（１）に付着させ舌苔を除去する。舌の奥から手前に引く事により効率よく舌苔を除去できる。このときサック状舌苔除去具（１）は、お風呂で体を洗う時に使用する、垢すりボディータオルの様に、３次元の編み方をした立体メッシュ構造（３）を有するため、繊維と繊維の間に舌苔が効率よく入り込み、しっかりと舌苔を除去できる。またサック状舌苔除去具装着棒（４）又はサック状舌苔除去具（１）を回転させて使用することにより、まだ舌苔の付着していないきれいなサック状舌苔除去具（１）の裏表又は全体を使用できるため、きわめて効率よく舌苔の除去ができる。サック状舌苔除去具（１）とサック状舌苔除去具装着棒（４）は、きわめて安全性が高く、非常に携帯性にすぐれている。サック状舌苔除去具（１）は洗って繰り返し使用できるが、安価のため使い捨てにできその都度、清潔な新しい物が使用でき衛生的である。
【実施例１】
【０００７】  サック状舌苔除去具装着棒（４）の形状はさまざまでよく、カーブや凸凹をつけてよい。
【実施例２】
【０００８】  サック状舌苔除去具（１）に、味や香りをつけてもよい。
【図面の簡単な説明】
【０００９】
【図１】本発明の斜視図
【図２】本発明の分解斜視図
【図３】本発明の上面図
【図４】本発明の指に装着した状態を示す側面図
【符号の説明】
【００１０】      １サック状舌苔除去具
２開口部
３立体メッシュ構造
４サック状舌苔除去具装着棒
【図１】
2006239396.tif 000003
【図２】
2006239396.tif 000004
【図３】
2006239396.tif 000005
【図４】
2006239396.tif 000006
(57)【要約】【課題】  使用中のおたまは普通鍋の中に入れて置く。その場合蓋が閉まらないのは常識であるが、おたまを入れたままで、鍋に蓋をしたい。使い方が簡単で、作るのも低コストの方法で解決するということが課題である。【解決手段】  板状のステンレスを材料とする、おたまの柄の一部を、鍋と蓋が接する部分の隙間に合わせて曲げた。その部分を鍋と蓋で挟むようにした。さらに挟まれる部分以外の柄が、一直線上の位置になるよう曲げた。曲がり部分以外のおたま各部分の空間位置は通常のおたまと同じにした。使い方は、おたまの曲がり部分を鍋の縁に当て、もう片方の手で蓋をするだけでよい。【選択図】  図１
2006239335.tif 000002
【特許請求の範囲】
【請求項１】
柄の一部を、鍋と蓋が接する部分の隙間に合わせて曲げ、さらにその曲げを挟む部分の柄が、一直線上の位置となるように曲げたおたま
【発明の詳細な説明】
【技術分野】
【０００１】  本発明は鍋から料理を掬い取るための、おたまに関するものである。
【背景技術】
【０００２】  おたまを入れたままで蓋を閉めるためには鍋や蓋に凹みをつけたり一部分を開閉するようしたりするものがある。たとえば実用新案文献１参照。またおたまでは形状記憶合金を利用したものがある。特許文献２参照。
【実用新案文献１】
登録実用新案第３０７１４９７
【特許文献２】特許公開平８−３２２７４６
【発明の開示】
【発明が解決しようとする課題】
【０００３】  使用中のおたまは料理の汁が付いているので、普通は鍋の中にそのまま置く。その場合蓋が、閉まらないというのは常識となっている。おたまを鍋の中に置いたままで蓋をしたい。この課題に対する従来技術の欠点は、気楽に使えないことである。鍋や蓋での対応では当然古いものやお気に入りが使えなくなる。蓋を閉める時のおたまの置き場所が限られてしまう。突起物や切欠きや凹みがあることで洗い難く手を傷つけやすい。部品点数が増え製造工程も複雑で高コストである。当然破損の可能性も高くなってしまう。形状記憶合金使用のおたまは使用が難しい。鍋や蓋を選ばず、かつ使用感が自然で、しかも低コストで、おたまを入れたまま鍋に蓋ができるようにすることが、この発明が解決しようとする課題である。
【課題を解決するための手段】
【０００４】  おたまの柄の一部を鍋と蓋の接する部分の隙間に合わせて曲げた。そこを鍋と蓋で挟むようにした。さらに挟まれる部分以外の柄が一直線上の位置になるように曲げた。
【発明の効果】
【０００５】  おたまを入れたままで閉まるべき蓋がきちんと閉まり、見た目が非常に良くなった。鍋や蓋に頼らずおたまだけで、しかもシンプルな方法で解決できた結果、低コストで使い良いものになった。鍋の縁が平らな鍋と縁が立ち上がった鍋の両方の鍋での使用も可能となった。おたまが鍋のどの位置にあっても蓋をすることができるようになった。曲がり部分意外は従来のおたまと全く同じであるので使用時の違和感は全くないものになった。蓋をする必要のない場合には全く今までどおりに使える。おたまを入れたままでも、隙間はごく小さいため、熱の逃げも少なく省エネルギーであるし料理の美味しさが長持ちするようになった。また余計な匂いが逃げ出すことも少なくなった。埃や虫の侵入も防ぐこともできるようになった。おたまを入れたままのデメリットがないので、温度表示を組み込むことなども可能になった。
【発明を実施するための最良の形態】
【０００６】
【実施例】
【０００７】  柄は板状のステンレスを使用する。曲がりの設定は、柄を鍋の胴の内側に沿って立ち上げる。縁の部分まで行ったら縁に沿って曲げる。縁が立ち上がったタイプの鍋のラインに沿わせておけば縁が落ち込んだ鍋にも対応できる。そこから先は鍋の胴に沿った部分の延長線上の空間位置に向かって曲げてゆく。曲がり部分を除いたおたまの各部分の空間位置は従来のおたまと同じとする。この曲がりを作ることはプレスでもハンマーで打っても可能である。握りの部分は不燃性と断熱性を持たせた。重量のバランスは握り部分の側を軽くした、使用方法は、おたまの曲げ部分を鍋の縁に当て、もう片方の手で蓋をするだけである。
【図面の簡単な説明】
【０００８】
【図１】  鍋と蓋の断面との関係を示した、おたまの側面図である。
【符号の説明】
１  蓋
２  おたまの柄
３  鍋
【図１】
2006239335.tif 000003
(57)【要約】【課題】建物火災の避難経路上において容易に防煙マスクを取得し、煙や有毒ガスを避け、なおかつ必要な空気を確保しつつ避難できるようにすることを課題とする。【解決手段】  避難するのにかかる時間に必要な空気を貯蔵できる袋を付帯したマスクを準備する。また、袋にいれることができるようにこのマスクを折りたたむ。  マスクを複数個収納するための袋を準備し、避難経路上の壁面や置物などに付着させ、常備する。または、複数のマスクを収納し、火災時にだけ開く箱を準備する。【選択図】  図１
2006239333.tif 000002
【特許請求の範囲】
【請求項１】
空気袋を付帯したマスク
【請求項２】
請求項１に防煙眼鏡を付帯したマスク
【請求項３】
マスクを収納し、建造構造物もしくは付属物に付着できるようにした袋
【請求項４】
マスクを収納し火災時にのみ開く箱
【発明の詳細な説明】
【技術分野】
【０００１】本発明は、火災から避難する際に有毒ガスや煙から人体を守るためのマスク及びそれを収納するものに関する。
【背景技術】
【０００２】従来は、煙や有毒ガスを避けるため、ハンカチを口にあてるか、透明なビニル袋を頭にかぶるかして火災から避難していた。それには、身辺に予めそれらを準備する必要があった。
【発明の開示】
【発明が解決しようとする課題】
【０００３】建物火災の避難経路上において容易に防煙マスクを取得し、煙や有毒ガスを避け、なおかつ必要な空気を確保しつつ避難できるようにすることを課題とする。
【課題を解決するための手段】
【０００４】  避難するのにかかる時間に必要な空気を貯蔵できる袋を付帯した請求項１のマスクを準備する。また、袋にいれることができるようにこのマスクを折りたたむ。【０００５】マスクを複数個収納するための請求項３の袋を準備し、避難経路上の壁面や置物などに付着させる。もしくは、防煙マスクを収納し、火災時にだけ開く請求項４の箱を準備する。
【発明の効果】
【０００６】火災時、防煙マスクを容易に手に入れることができ、煙から身を守り、避難することができる。また、請求項４の箱により、平常時にマスクが紛失する恐れがなくなる。
【発明を実施するための最良の形態】
【０００７】防火用消火器の傍、非常案内灯の下、防火扉の傍など避難通路上の構造物に本発明を付着させ常設する。避難時は、袋から防煙マスクを取り出し装着する。
【実施例】
【０００８】学校の生徒用机に防煙マスクを５個付着させておく。避難訓練の際、マスクを取り身に付け、避難する。一個は、実際の災害時のために残しておく。
【産業上の利用可能性】
【０００９】  学校、映画館、演劇場などにおいて、各座席の下、もしくは、避難経路上に本発明を常設し、避難時にはこれを利用できるようにする。避難訓練でも利用が可能である。
【図面の簡単な説明】
【００１１】
【図１】    請求項１のマスクを装着の様子を示した平面図である。
【図２】    マスクを収納した請求項３の袋を示した平面図である。
【符号の説明】
【００１２】１  空気袋                            ２  折りたたんだ状態の防煙マスク
３  防煙マスクを収納する袋
【図１】
2006239333.tif 000003
【図２】
2006239333.tif 000004
(57)【要約】      （修正有）【課題】      みがきずらい奥歯や歯の裏側が簡単にみがける歯ブラシの提供。【解決手段】  歯ブラシのブラシ部２をＶ字型に折り曲げて３、ブラッシングに適した角度をつけ、小さな子供が飲み込む危険も少なくした。【選択図】  図１
2006239331.tif 000002
【特許請求の範囲】
歯ブラシの柄の一部、ブラシ部をＶ字に折り曲げた歯ブラシ。
【発明の詳細な説明】
【発明の詳細な説明】
この発明は、歯ブラシの柄の先端、ブラシ部に近い柄の一部をＶ字型に折り曲げたものである。
従来の歯ブラシで奥歯の汚れやかすを除去するとき、歯ブラシの上下移動が困難な部位があった。
本発明は、ブラシ部を折り曲げることでブラッシングに適した角度がつき、歯の奥のすみずみまで簡単にみがくことができる。小さな子供が飲み込む危険も少なく、使いやすくした歯ブラシである。
【図面の簡単な説明】
【図１】  本発明の斜視図
【符号の説明】
１は柄、２はブラシ部、３は折り曲げた部位
【図１】
2006239331.tif 000003
(57)【要約】      （修正有）【課題】身体の背中に洗浄残し部分を生じない手ぬぐいの提供。【解決手段】手ぬぐい類の中央部分に凸部分を作ることにより、身体の背中の凹部分と手ぬぐい類の中央の凸部分との接地点を作り摩擦を生じさせ、洗浄残しを無くすことにより背中部分のかゆみ等を除去することができる。なお、この手ぬぐい類で背中を洗浄する際は、手ぬぐい類の巾を三折にして使用すると、手ぬぐい類の両端の手の平の中の納まり具合及び手ぬぐい類のタッグと背中の凹部分の摩擦の具合が良いようです。【選択図】図１
2006239339.tif 000002
【特許請求の範囲】
【請求項１】
手ぬぐい類（バスタオル類を含む布じょうのもの）の中央部に段（突起部分を含む。）あるいはタッグをつくる。
【発明の詳細な説明】
【技術分野】
【０００１】この発明は、手ぬぐい類（バスタオル類を含む布状の身体を洗浄するもの、以下「手ぬぐい類」いう。）の中央部に段（突起部分を含む。）あるいはタッグをつけたものに関するものである。
【背景技術】
【０００２】従来、手ぬぐい類は、１枚の平らな布状のものであった。
【発明の開示】
【発明が解決しようとする課題】
【０００３】これはつぎのような問題点があった。
手ぬぐい類に石鹸類をつけて身体を洗浄する際、布面と身体背中部分に接地点がないため、布面と身体部分の摩擦が生ぜず洗い残し部分が生じた。
その理由の一つは、身体の背中には背骨及び肩甲骨があることにより、多少の凹凸があること。
その理由の二つには、布状のものの両端をもって引っ張ると張力が生じ、その張力により、布面と身体の凹面との摩擦が阻害されること。
その理由の三つには、タオルには糸状のループの凸があるが身体の凹の深さの方が深く、接地不完全あるいは摩擦圧の弱さのため洗浄が不完全となる部分が生ずること。
【課題を解決する手段】
【０００４】手ぬぐい類の長い方の中央部分を凸状態にし、身体の背中部分の凹部分との摩擦を可能にすること。
【発明の効果】
【０００５】ボデーブラッシュ類を使用しなくも、手ぬぐい類で背中部分の凹部分の洗浄が可能になり、洗い残しによる背中の微妙なかゆみを除去できること。
【発明を実施するための最良の形態】
【０００６】以下、本発明の実施例について説明する。
【図１】
の例の場合
手ぬぐい類の長い方の中央部分にタッグ（タッグ山（ａ））をつくり、タッグ山の底部分（ｂ）をミシン等で縫い付ける。布の厚みが薄い場合には、１つのタッグを２重折で作ることも有効です。
手ぬぐい類の巾は通常の手ぬぐい類と同じですが、長さは１．のタッグ分だけ長く必要となります。また、好みで１．のタッグを複数にするなどにより摩擦係数を増量する場合には、その分だけ長さを増量する必要があります。
【図２】
の例の場合
（１）２本の手ぬぐい類を２本重ねて、重ねた一方の端から１ｃｍ５ｍｍ位のところをミシン類で縫い合わせる。
（２）２本の手ぬぐい類の端（通常手ぬぐい類の端は三折にしてミシン等をかけて三折処理にして有ります。）をミシン等で縫い合わせて、縫い合わせてない端を持って開くと
【図２】
（２）のＣの（ｃ）とＤの（ｄ）の凸部分ができ、この部分が摩擦点あるいは摩擦面となる。
（３）
【図２】
の例の場合は、２本の手ぬぐいを使用するため、１本、１本の手ぬぐいの長さは、通常の手ぬぐいの半分位のものを用意することが良いと考えます。なお。巾は通常の手ぬぐい類と同じで良いと考えます。
【図３】
の例の場合
手ぬぐい類の中央部分に、別布で
【図１】
のタッグに相当するもの、同じく別布で
【図２】
の三折処理部分に相当するものを縫いつける。
【図面の簡単な説明】
【０００７】
【図１】は本発明の斜視図である。
【図２】は本発明の斜視図である。
【図３】は本発明の斜視図である。
【符号の説明】
１．タッグ
２．３．三折処理された手ぬぐい類の端をタッグとして使用した部分
４．２本の手ぬぐい類を重ねて、重ねた一方の端から１ｃｍ５ｍｍ位のところの縫い合わせ部分
（ａ）タッグ山
（ｂ）タッグ山の底部分
（ｃ）三折処理された手ぬぐい類の端をタッグとして使用した部分で摩擦点
（ｄ）三折処理された手ぬぐい類の端をタッグとして使用した部分で摩擦点
Ｃ  ２本の手ぬぐい類の片方
Ｄ  ２本の手ぬぐい類のあと片方
【図１】
2006239339.tif 000003
【図２】
2006239339.tif 000004
【図３】
2006239339.tif 000005